(57)【要約】      （修正有）【課題】マスクの出し入れが容易なマスクケースを提供する。【解決手段】マスクケースは、抗菌加工が施され、第１面Ａと第２面Ｂを備える略方形状の樹脂製シート１を有し、第１面Ａが内側になるよう折り曲げて重ね合わせた状態で、下部１５が接着され、折り曲げ部を境に一側の領域である略長方形状の表部２と、他側の領域である略長方形状の裏部３と、接着された下辺とからマスク収納部が形成されている。裏部の短手方向の幅が、表部の短手方向の幅よりも大きく、裏部の長辺１２の近傍部位には、表部の長辺１３の縁部に係止可能な係止部２１が形成されている。【選択図】図２
0003228495.tif 000002
【実用新案登録請求の範囲】
【請求項１】
第１面と第２面を備え、第１面、あるいは、第１面及び第２面の両面に抗菌加工が施された略方形状の樹脂製シートを、第１面が内側になるよう折り曲げて重ね合わせた状態で下部が接着されており、
折り曲げ部を境に一側の領域である略長方形状の表部と、他側の領域である略長方形状の裏部と、接着された下部と、からマスクの収納部が形成されており、
前記裏部の短手方向の幅が、前記表部の短手方向の幅よりも大きくなっており、前記裏部は、当該裏部の長辺側に前記表部の長辺からはみ出した部位を備えており、前記表部の長辺と前記はみ出した部位の間にマスクを出し入れする開口が形成されるようになっており、
前記裏部の長辺の近傍部位には、前記開口が閉じた状態で、前記表部の長辺の縁部に係止可能な係止部が形成されている、
マスクケース。
【請求項２】
前記係止部は、前記裏部の長辺の近傍部位に、前記折り曲げ部に向かって湾曲状に切り込み形成されたスリットからなり、
前記スリットの基端側部位は、前記はみ出した部位において、前記表面の長辺に近接した部位に形成されており、
前記スリットの湾曲状の切り込み部は、前記裏部において、前記表部の長辺の縁部にオーバーラップする部位に形成されている、
請求項１に記載のマスクケース。
【請求項３】
前記表部および前記裏部の上側部位には、当該マスクケースの上側部位を貫通する掛止部を形成する孔が形成されている、
請求項１、２いずれか１項に記載のマスクケース。
【請求項４】
前記掛止部は、横長状の孔と、当該横長状の孔よりも小さく形成された、当該横長状の孔の長手方向中央から上方に延びる略半円状の孔とから一体形成されている、
請求項３に記載のマスクケース。
【考案の詳細な説明】
【技術分野】
【０００１】
本考案は、マスクケースに関するものである。
【背景技術】
【０００２】
従来、マスクは、花粉症や風邪やインフルエンザ患者等の限られた者が季節的に着用することが普通の姿であった。しかしながら、新型コロナウイルスの登場に伴って、マスク着用が新型コロナウイルスの感染拡大を防ぐための有効な手段として認知されるようになり、いわゆる新しい生活様式ないしNew Normalでは、日常生活でマスクを着用することが標準となったと言っても過言でない。
【０００３】
しかしながら、日常生活において、マスクを外さなければならない場面がしばしばあり、その時に、外したマスクをどのように衛生的に保管するかは身近でかつ悩ましい課題となっている。典型的な例では、小中学校や高等学校などでは、登校する際にマスク着用が奨励されている一方、食事の際（給食などの昼食時）にはマスクを外す必要があるが、外したマスクを机に直接置くことは衛生上好ましくない。
【０００４】
したがって、取り外したマスクを一時的に衛生的に保管したいというニーズがある。このようなマスクケースは、例えば、特許文献１および特許文献２に開示されている。特許文献１に係るマスクケースは、上記ニーズに応えるものではあるが、ケース構造が複雑なものとなっている。また、特許文献２に係るマスクケースは、特許文献１のものに比べて構造がシンプルであるが、必ずしも学校等で使用する際のニーズを満たすものとは言えない。
【０００５】
日常的（例えば、食事の都度）にマスクを脱着することから、この種のマスクケースの使用頻度は高く、また、低年齢の子供が使用することも想定されるため、より簡単にマスクを収納しかつ取り出せるものであることが望ましい。
【特許文献１】実用新案登録第3222103号
【特許文献２】実用新案登録第3158317号
【考案の開示】
【考案が解決しようとする課題】
【０００６】
本考案は、マスクの出し入れが容易であり、特に、限定されないものの、学校等での使用に適したマスクケースを提供することを目的とするものである。
【課題を解決するための手段】
【０００７】
本考案が採用した技術手段は、
第１面と第２面を備え、第１面、あるいは、第１面及び第２面の両面に抗菌加工が施された略方形状の樹脂製シートを、第１面が内側になるよう折り曲げて重ね合わせた状態で下部が接着されており、
折り曲げ部を境に一側の領域である略長方形状の表部と、他側の領域である略長方形状の裏部と、接着された下部と、からマスクの収納部が形成されており、
前記裏部の短手方向の幅が、前記表部の短手方向の幅よりも大きくなっており、前記裏部は、当該裏部の長辺側に前記表部の長辺からはみ出した部位を備えており、前記表部の長辺と前記はみ出した部位の間にマスクを出し入れする開口が形成されるようになっており、
前記裏部の長辺の近傍部位には、前記開口が閉じた状態で、前記表部の長辺の縁部に係止可能な係止部が形成されている、
マスクケース、である。
【０００８】
１つの態様では、前記係止部は、前記裏部の長辺の近傍部位に、前記折り曲げ部に向かって湾曲状に切り込み形成されたスリットからなり、
前記スリットの基端側部位は、前記はみ出した部位において、前記表面の長辺に近接した部位に形成されており、
前記スリットの湾曲状の切り込み部は、前記裏部において、前記表部の長辺の縁部にオーバーラップする部位に形成されている。
【０００９】
１つの態様では、  前記表部および前記裏部の上側部位には、当該マスクケースの上側部位を貫通する掛止部を形成する孔が形成されている。
【００１０】
１つの態様では、前記掛止部は、横長状の孔と、当該横長状の孔よりも小さく形成された、当該横長状の孔の長手方向中央から上方に延びる略半円状の孔とから一体形成されている。
【考案の効果】
【００１１】
本考案に係るマスクケースは、シンプルな構成であり、かつ、裏部の短手方向の幅が表部の短手方向の幅よりも大きくなるよう形成されているため、マスクの出し入れが容易であり、また、樹脂製シートから一体的に形成することができるので、低コストで製造可能である。
上側部位に掛止部を備えたものでは、マスクを収納した状態でフック部（典型的には、学校における机に備わっているフック）に掛止させることができる。
本考案にかかるマスクケースは、例えば、小中学校や高等学校などで食事をとる生徒に廉価で提供することが可能である。
【図面の簡単な説明】
【００１２】
【図１】本実施形態に係るマスクケースの展開図である。
【図２】本実施形態に係るマスクケースの正面図である。
【図３】本実施形態に係るマスクケースを用いたマスクの収納工程を示す図である。
【図４】本実施形態に係るマスクケースを用いたマスクの収納態様の例を示す図である。
【図５】本実施形態に係る、マスクを収納したマスクケースの使用態様の例を示す図である。
【考案を実施するための形態】
【００１３】
図１は、本実施形態に係るマスクケースの展開図であって、マスクケースは、第１面Ａと第２面Ｂを備えた略方形状の樹脂製シート１からなる。樹脂製シート１は、例えば、ポリプロピレンなど、種々の樹脂からなるシートであってよい。本明細書では、マスク本体が装着（収納）される側を第１面Ａとする。図１では、樹脂製シート１の第２面Ｂ側を示している。略方形状の樹脂製シート１は、第１幅方向に延びる第１辺１０及び第２辺１１と、第２幅方向に延びる第３辺１２及び第４辺１３とを備えており、第１幅方向の中央部から第４辺１３寄りの部位に、第１辺１０と第２辺１１との間の全幅に亘って第２幅方向に延びる折り曲げ線１４を備える。
【００１４】
樹脂製シート１において、折り曲げ線１４の一側の領域が略長方形状の表部２となっており、他側の領域が略長方形状の裏部３となっている。すなわち、樹脂製シート１は、折り曲げ線１４を挟んで、一側が表部２となっており、他側が裏部３となっている。なお、樹脂製シート１において、全ての角（４つの角）が、二次曲線や円などで丸めるよう（角をとるよう）形成されており、同様に、樹脂製シート１を折り曲げた時に、表部２及び裏部３の基端側の上下の角部となる部位（折り曲げ線１４の上端部位及び下端部位）も湾曲状の縁部に形成されている。表部２及び裏部３の４つの角を湾曲縁とすることで、角に衝突することによる怪我を防止している。樹脂製シート１の第１辺１０の一側部１０ａ、第２辺１１の一側部１１ａが、略長方形状の裏部３の短辺（上辺、下辺）となっており、第３辺１２、折り曲げ線１４が裏部３の長辺となっている。樹脂製シート１の第１辺１０の他側部１０ｂ、第２辺１１の他側部１１ｂが、略長方形状の表部２の短辺（上辺、下辺）となっており、第４辺１３、折り曲げ線１４が表部２の長辺となっている。樹脂製シート１が、折り曲げ線１４において折り曲げられ、下辺１１ａ、１１ｂが接着（典型的には溶着）されることにより、マスク５を収納するスペース（マスク収納部）が形成される。本実施形態では、下辺１１ａ、１１ｂは超音波接着（超音波による溶着）されているが、これには限定されない。
【００１５】
図２は、本実施形態に係るマスクケースの正面図である。図２に示すように、樹脂製シート１を、折り曲げ線１４において、表部２の第１面Ａと裏部３の第１面Ａが近づく方向に折り曲げ、表部２と裏部３とを重ね合わせた上で、第２辺１１（一側部１１ａと他側部１１ｂ）を、第１軸方向の略全幅に亘って接着させることにより、マスク収納部が形成される。具体的には、下部１５において、表部２と裏部３とを接着することにより、表部２の第１面Ａと裏部３の第１面Ａとの間に、マスク収納部が形成される。
【００１６】
裏部３の第１幅方向の幅寸法（ないし短手方向の幅寸法）は、図１に示すように、表部２の第１幅方向の幅寸法よりも大きくなっており、折り曲げ線１４において樹脂製シート１が折り曲げられた状態（図２）では、表部２の面部が、裏部３の面部に包含される形で重なり、表部２の長辺１３が、裏部３の長辺１２より内側に位置するようになっている。つまり、第１辺１０の一側部１０ａは、第１辺１０の他側部１０ｂよりも、長くなっている。また、同様に、第２辺１１の一側部１１ａは、第２辺１１の他側部１１ｂよりも、長くなっている。すなわち、裏部３は、表部２の長辺１３からはみ出した部位６を備えており、表部２の長辺１３とはみ出した部位６の間にマスクを出し入れする開口が形成されるようになっている。表部２の上辺１０ｂと裏部３の上片１０ａは接着されていないので、表部２の上側の角部をめくるようにして、開口を形成するようになっている（図３参照）。
【００１７】
裏部３の面部には、略半円状のスリット２０が、第３辺１２に沿って、湾曲部が折り曲げ線１４と向かい合うように形成されている。より具体的には、スリット２０は、裏部３の長辺１２に寄った高さ方向中央付近の位置に、平面視において、長辺１２から離れる方向に膨らむような湾曲状の切り込みとして形成されている。スリット２０で囲まれた部位が裏部３の面部に対して浮き上がるように変形可能な係止部２１となっている。スリット２０は、図２に示すように、係止部２１が表部２の長辺１３の縁部に係止できるよう、裏部３の面部の、表部２からはみ出した部位の近傍に形成される。より具体的には、スリット２０の基端側部位は、裏部３のはみ出した部位６において、表部２の長辺１３に近接した位置にあり、スリット２１の湾曲状の切り込みは、裏部３において、表部２の長辺１３の縁部にオーバーラップする部位に形成されている。
【００１８】
係止部２１は、裏部３の面部と一体で接続されている基端側を介して当該面部に対して浮き上がるように回動可能ないし変形可能となっており、表部２の長辺１３の縁部に係止部２１を係止させることで、マスクケースの開口が閉じた状態を保持できるようになっている。また、本実施形態では、スリット２０は裏部２の高さ方向の中央部位に１つ形成されているが、スリット２０は、高さ方向に複数形成されてもよい。
【００１９】
表部２の面部上部中央には、図２の状態で表部２と裏部３の同一箇所を貫通するように孔（孔３１ａ、孔３１ｂ）を設けることで、掛止部３１が形成されている。また、裏部３の面部上部中央には、図２の状態で表部２と裏部３の同一箇所を貫通するように孔（孔３０ａ、孔３０ｂ）を設けることで、掛止部３０が形成されている。掛止部３０は、いわゆる飛行機孔であり、横長状の孔３０ａと、孔３０ａよりも小さく形成され、孔３０ａの長手方向中央から上方に延びる略半円状の孔３０ｂとから一体形成されている。また、掛止部３１は、いわゆる飛行機孔であり、横長状の孔３１ａと、孔３１ａよりも小さく形成され、孔３１ａの長手方向中央から上方に延びる略半円状の孔３１ｂとから一体形成されている。
【００２０】
これにより、例えば、学校の机横のフックなどの掛止用フックを、掛止部３０、３１の大きな孔（孔３０ａ、孔３１ａ）に差しこみ、フックを小さな孔（孔３０ｂ、孔３１ｂ）に位置させることで、マスクを収納したマスクケースを、掛止用フックに容易に掛止する（引っ掛ける）ことができる。
【００２１】
マスクケースに対するマスク５の収納工程について、図３および図４を参照しつつ説明する。図３に示すように、表部２の長辺１３の縁部に係止部２１が係止していない状態で、表部２の長辺１３とはみ出した部位６の間の開口から、表部２の第１面Ａと裏部３の第１面Ａとの間（マスク収納部）に、マスク５を挿入することで、マスク収納部にマスク５を収納する。そして、マスク５がマスク収納部に収納された後、図４に示すように、表部２の長辺１３側の部位に係止部２１を係止させてマスクケースの開口が閉じた状態を保持することで、マスクケースに対するマスク５の収納が完成する。なお、この時、マスク５の耳掛け部５１も、マスク本体５０と同様に、表部２の第１面Ａと裏部３の第１面Ａとの間（マスク収納部）に収納されるようにする。
【００２２】
本実施形態に係るマスクケースを用いることで、取り外したマスク５を、手間をかけずに速やかにマスクケースに収納することができる。マスクケースからマスク５を取り出す際には、表部２の長辺１３の縁部から係止部２１を外して、表部２の長辺１３の縁部を裏部３に対して開放可能とすればよいので、マスク５を速やかに取り出すことができ、マスク５の出し入れを容易に行うことができる。また、本実施形態に係るマスクケースは、裏部３の第１幅方向の幅寸法が、表部２の第１幅方向の幅寸法よりも大きくなっているため、表部２と裏部３の第１幅方向の幅寸法が同一または略同一のマスクケースと比較し、マスク５の出し入れを、より容易に行うことができる。具体的には、表部２からはみ出した裏部３の面部（はみ出した部位６）を押すことで、表部２と裏部３との隙間が生じやすくなるため、マスクケースのマスク５の出し入れを行う開口を容易に開放することができ、マスク５の出し入れを容易に行うことができる。そのため、例えば、低学年の生徒など、低年齢の子供であっても、マスクの出し入れを容易に行うことが可能である。
【００２３】
また、本実施形態に係るマスクケースを用いることで、図５に示すように、マスクケースをフックに引っ掛けてぶら下げることができる。より具体的には、掛止部３０、３１をフックに差し込むことで、マスクケースをフックにぶら下げておくことができる。本実施形態に係るマスクケースは、例えば、小学校の給食の際に、取り外したマスクを一時的にマスクケースに保管し、机横のフックなどに引っ掛けておくことが可能である。このようにマスクケースをフックに引っ掛けておくことで、例えば、学校において、個人の机の上にマスクやマスクケースを置いた場合に、何らかの拍子に落下してしまうことで床の汚れがマスクやマスクケースに付着してしまうことを防止することができる。なお、マスクケースに汚れが付着した場合は、マスクケースからマスクを取り出す際などに、付着した汚れがマスクに移ってしまうことも想定されるため、マスクケースへの汚れの付着を防止することで、マスクを衛生的に保管することができる。
【００２４】
また、例えば、学校の机のように限られたサイズの机にマスクやマスクケースを置く場合、置くためのスペースを確保する必要があるため、給食のトレーやお弁当箱等を置くために使用できる天板の広さが狭くなり、煩わしく感じる場合がある。しかしながら、本実施形態に係るマスクケースを用いることで、マスクケースをフックにぶら下げることができるため、机の上を制限なく使用することができ、食事や作業に支障をきたすことを防止することができる。
【００２５】
また、例えば、学校において、生徒全員に予備のマスクを保管（所持）させる場合、予備マスクを入れた本実施形態に係るマスクケースを机横のフックにぶら下げることとすれば、全生徒が予備マスクを所持しているかどうかを、各個人の机横のフックにマスク入りのマスクケースがあるかどうかを確認すれば済むため、迅速な確認が可能となり、所持有無を確認する先生の手間を削減することができる。また、机横のフックにマスク入りのマスクケースがあるかどうかを確認すれば、予備マスクを所持しているかどうかを容易に確認することができるため、予備マスクを所持していない生徒を正確に把握することができ、予備マスクの準備、所持を迅速に指示することができるため、感染拡大を防ぐ点で有効である。
【００２６】
また、本実施形態に係るマスクケースを用いることで、図５に示すように、マスクケースをフックに引っ掛けてぶら下げた状態で、マスク５を落下することなく収納することができる。より具体的には、マスクケースをフックに引っ掛けてぶら下げた状態であっても、係止部２１により、マスク５がマスク収納部に挟み込まれた状態で、マスクケースが閉じた状態を維持することができるため、マスクが落下することを防止することができる。
【００２７】
本実施形態に係る樹脂製シート１は透明である。マスクケースを透明や半透明に形成することで、マスクケースの中身（マスク）を視認しやすくすることができる。マスクケースの中身を視認しやすくすることで、例えば、予備マスクがマスクケースに収納されているかどうかを容易に確認することができる。なお、マスクケースを不透明な樹脂製シート１から形成してもよい。
【００２８】
なお、本実施形態に係るマスクケースは、新品のマスクを装着した状態で提供してもよい。すなわち、図４に示すマスク５が新品のマスク５である場合に、図４の状態で提供してもよい。
【００２９】
樹脂製シート１の第１面Ａ、あるいは、第１面Ａおよび第２面Ｂの両面には、抗菌印刷（抗菌加工）が施されている。抗菌印刷は、抗菌剤入り印刷二スを表面コーティングする加工処理である。抗菌印刷は公知であって、例えば、特許3030310号、特許3401571号、特開2010-194723に記載されている。
【００３０】
学校での使用を考えた場合、マスクケースに生徒の名前を記入する欄を設けてもよい。例えば、透明の樹脂製シート１の所定部位に白地で名前記入用の領域を印刷してもよい。また、特に、マスクケースを販促品等として用いる場合には、樹脂製シート１の所定部位に広告を印刷してもよい。広告は、公共広告、商業広告を問わない。また、広告は広義に解釈されるものであり、広告にリンクされたＱＲコード（登録商標）等の情報を含むものとする。新型コロナウイルスの登場によりマスク着用が習慣化し、マスク着用が広く浸透していることから、マスクケースの利用頻度も増大すると考えられ、マスクケースに広告を印刷することによる宣伝効果が期待される。なお、広告等の印刷を施す場合は、印刷の上から抗菌ニスコート加工を行うようにする。このように、マスクケースの表裏に広告宣伝を印刷することで、取り外したマスクを収納するという実用性を備えた販促品として提供することが可能である。
【００３１】
マスク５の収納状態において、マスク５（マスク本体５０および耳掛け部５１）は、抗菌加工が施された表部２の第１面Ａと裏部３の第１面Ａに挟まれているので、マスク５を衛生的に保管することができる。また、外部に面する表部２および裏部３の第２面Ｂにも抗菌加工を施すことで、マスク５を収納したマスクケースをテーブルに置いたり、カバンやポケット等に入れて収納したりする際も衛生的に取り扱うことができる。
【００３２】
本実施形態に係るマスクケースは、以下の一連の工程で製造することができる。
（ア）樹脂製シートから略方形である樹脂製シート１を得る。
（イ）樹脂製シート１にスリット２０、孔３０ａ、孔３０ｂ、孔３１ａ、孔３１ｂを形成する。
（ウ）樹脂製シート１に、抗菌ニスを印刷して、抗菌層を形成する。
（エ）樹脂製シート１を、折り曲げ線１４において折り曲げた上で、接着加工（超音波接着）により、下部１５において表部２と裏部３を接着する。
【符号の説明】
【００３３】
１  樹脂製シート
１０ａ  短辺（上辺）
１０ｂ  短辺（上辺）
１１ａ  短辺（下辺）
１１ｂ  短辺（下辺）
１２  長辺
１３  長辺
２  表部
２０  スリット
２１  係止部
３  裏部
３０  掛止部
３１  掛止部
６  はみ出した部位
Ａ  第１面
Ｂ  第２面
【図１】
0003228495.tif 000003
【図２】
0003228495.tif 000004
【図３】
0003228495.tif 000005
【図４】
0003228495.tif 000006
【図５】
0003228495.tif 000007
【手続補正書】
【提出日】令和2年7月21日(2020.7.21)
【手続補正１】
【補正対象書類名】実用新案登録請求の範囲
【補正対象項目名】請求項２
【補正方法】変更
【補正の内容】
【請求項２】
前記係止部は、前記裏部の長辺の近傍部位に、前記折り曲げ部に向かって湾曲状に切り込み形成されたスリットからなり、
前記スリットの基端側部位は、前記はみ出した部位において、前記表部の長辺に近接した部位に形成されており、
前記スリットの湾曲状の切り込み部は、前記裏部において、前記表部の長辺の縁部にオーバーラップする部位に形成されている、
請求項１に記載のマスクケース。